(57)【要約】【課題】外壁を傷つけずに固定できる換気フードセットを提供することを目的とする。【解決手段】筒状のダクト接続部とダクト接続部の一の開口端を覆うカバーとを備えた換気フードとダクト接続部の他の開口端に接続される室内と連通する室内ダクトとを備えた換気フードセットで、ダクト接続部と室内ダクトとは一部が重なるように配置され、ダクト接続部の外面に突出するように設けられたフード側係止片と室内ダクトの内面に突出するように設けられたダクト側係止片とを備え、ダクト側係止片は室内ダクトの延在方向に沿って複数備えられ、フード側係止片は室内ダクト側の面が押圧されてダクト接続部の内方に向かって弾性変形し、複数のダクト側係止片のうちいずれか一つのダクト側係止片と係合し、換気フードを室内ダクトに固定する構成により、外壁を傷つけず外壁との距離を適正にして換気フードを外壁に固定できる。【選択図】図１
2019163902.tif 000002
【特許請求の範囲】
【請求項１】
筒状のダクト接続部と前記ダクト接続部の一の開口端を覆うカバーとを備えた換気フードと、
室内と室外とを連通する外壁に設けられた室内ダクトと、を備えた換気フードセットであって、
前記換気フードの前記ダクト接続部の他の開口端が前記室内ダクト内に収納されるように配置され、
前記ダクト接続は、外面から突出するように設けられたフード側係止片を備え、前記室内ダクトは、前記室内ダクトの内面から突出するように設けられたダクト側係止片を備えており、
前記ダクト側係止片は、前記室内ダクトの延在方向に沿って複数備えられ、
前記フード側係止片は、前記フード側係止片の前記室内ダクト側の面が押圧されることで前記ダクト接続部の外面側に向かって弾性変形し、複数の前記ダクト側係止片のうちいずれか一つの前記ダクト側係止片と係合し、前記換気フードを前記室内ダクトに固定することを特徴とする換気フードセット。
【請求項２】
前記ダクト接続部と前記室内ダクトとは円筒状であり、前記ダクト接続部を円周方向へ回動させることで、前記ダクト側係止片と前記フード側係止片との係合を解除することを特徴とする請求項１に記載の換気フードセット。
【請求項３】
前記ダクト側係止片は、前記換気フード側の面に前記フード側係止片を案内する傾斜部と、室内側の面に前記フード側係止片の前記換気フード側への移動を規制する立壁で形成される抜け規制部と、を備えていることを特徴とする請求項１又は２に記載の換気フードセット。
【請求項４】
前記ダクト側係止片は、前記フード側係止片を円周方向の一方向への回動を規制する回動規制部を備えていることを特徴とする請求項２又は３に記載の換気フードセット。
【請求項５】
前記フード側係止片は、前記ダクト接続部の外面の同一円周上において等間隔に複数備えられており、複数の前記フード側係止片に係合する前記ダクト側係止片が、前記室内ダクトの内面の同一円周上において等間隔に複数備えられていることを特徴とする請求項２から４のいずれかに記載の換気フードセット。
【請求項６】
筒状のダクト接続部と前記ダクト接続部の一の開口端を覆うカバーとを備えた換気フードであって、前記換気フードの前記ダクト接続部の他の開口端は、室内と室外とを連通する外壁に設けられた室内ダクト内に収納されるように配置され、前記ダクト接続部の外面に突出するように設けられたフード側係止片は、前記室内ダクトの内面に突出するように設けられたダクト側係止片と係合し、
前記ダクト側係止片は、前記室内ダクトの延在方向に沿って複数備えられ、
前記フード側係止片は、前記フード側係止片の前記室内ダクト側の面が押圧されることで前記ダクト接続部の内方に向かって弾性変形し、複数の前記ダクト側係止片のうちいずれか一つの前記ダクト側係止片と係合することを特徴とする換気フード。
【発明の詳細な説明】
【技術分野】
【０００１】
本発明は、建物の外壁や内壁に設置される換気フードセットに関するものである。
【背景技術】
【０００２】
従来、この種の換気フードセットとして換気口部材とダクトが知られている（例えば、特許文献１参照）。
【０００３】
以下、その換気口部材とダクトについて図９（ａ）、（ｂ）を参照しながら説明する。
【０００４】
図９（ａ）は、従来の換気フードセットが、建物の外壁に取り付けられた状態を示す概略断面図である。図９（ａ）に示すように、従来の換気フードセットは、建物の外壁内に設けられたダクト１０１が設けられており、そのダクト１０１の内部に対して嵌挿される本体筒１０２と、本体筒１０２に設けられた抜け止め金具１０３と、本体筒１０２に接続されるフード本体１０４とを備えた換気口部材の構成が開示されている。図９（ｂ）の外壁面正面側から見た換気口部材の投影図において、フード本体１０４の壁面に接するフードフランジ部１０５に複数の半抜き穴１０６を設けた構成とし、半抜き穴１０６を介してネジ１０７で外壁に取付けできる施工方法としている。
【先行技術文献】
【特許文献】
【０００５】
【特許文献１】特開平８−３０３８３０号公報
【発明の概要】
【発明が解決しようとする課題】
【０００６】
このような従来の換気フードセット、すなわち換気口部材とダクトの組合せでは、壁への固定にネジ止めを必要としている。つまり、壁の材質によっては、直接ネジを壁に打ちこむと壁が割れてしまうため、ネジによる壁への固定は、壁に下穴を開けてからネジ止めされる。このように、換気口部材を固定する場合、壁を傷つけてしまうという課題があった。
【０００７】
また、換気口部材を外壁のダクトに固定する場合、ネジ及びネジ螺合を行う冶具が必要となり、作業コスト及び作業効率が悪いという課題を備えていた。そこで本発明は、上記従来の課題を解決するものであり、外壁を傷つけることなく固定できる換気フードセットを提供することを目的とする。
【課題を解決するための手段】
【０００８】
そして、この目的を達成するために、筒状のダクト接続部と前記ダクト接続部の一の開口端を覆うカバーとを備えた換気フードと、室内と室外とを連通する外壁に設けられた室内ダクトと、を備えた換気フードセットであって、前記換気フードの前記ダクト接続部の他の開口端が前記室内ダクト内に収納されるように配置され、前記ダクト接続は、外面から突出するように設けられたフード側係止片を備え、前記室内ダクトは、前記室内ダクトの内面から突出するように設けられたダクト側係止片を備えており、前記ダクト側係止片は、前記室内ダクトの延在方向に沿って複数備えられ、前記フード側係止片は、前記フード側係止片の前記室内ダクト側の面が押圧されることで前記ダクト接続部の外面側に向かって弾性変形し、複数の前記ダクト側係止片のうちいずれか一つの前記ダクト側係止片と係合し、前記換気フードを前記室内ダクトに固定する換気フードセットという構成としたものであり、これにより所期の目的を達成するものである。
【発明の効果】
【０００９】
本発明によれば、壁を傷つけることなく、簡易な構成で固定できる換気フードセットを提供することができる。
【図面の簡単な説明】
【００１０】
【図１】本発明の実施の形態１に係る換気フードセットの構成を示す断面図。
【図２】（ａ）実施の形態１に係る換気フードのダクト接続部を室内ダクト側から見た正面図、（ｂ）実施の形態１に係る室内ダクトを換気フード側から見た正面図、（ｃ）実施の形態１に係るダクト接続部と室内ダクトとが係合している状態を室内側から見た投影正面図。
【図３】実施の形態１に係る換気フードセットの固定状態を示す断面図。
【図４】（ａ）実施の形態２に係る換気フードのダクト接続部を室内ダクト側から見た正面図、（ｂ）実施の形態２に係る室内ダクトを換気フード側から見た正面図、（ｃ）実施の形態２に係るダクト接続部と室内ダクトが係合している状態を室内側から見た投影正面図。
【図５】（ａ）実施の形態２に係るダクト接続部と室内ダクトが係合している状態を室内側から見た投影正面図、（ｂ）実施の形態２に係るダクト接続部と室内ダクトが係合解除している状態を室内側から見た投影正面図。
【図６】実施の形態２に係る換気フードセットの構成を示す斜視図。
【図７】実施の形態３に係る換気フードセットの構成を示す断面図。
【図８】実施の形態４に係る換気フードセットの構成を示す斜視図。
【図９】（ａ）外壁に取り付けられた状態を示す従来の換気フードセットの概略断面図、（ｂ）外壁の正面側から見た従来の換気フードセットの投影図。
【発明を実施するための形態】
【００１１】
本発明に係る換気フードセットは、筒状のダクト接続部と前記ダクト接続部の一の開口端を覆うカバーとを備えた換気フードと、室内と室外とを連通する外壁に設けられた室内ダクトと、を備えた換気フードセットであって、前記換気フードの前記ダクト接続部の他の開口端が前記室内ダクト内に収納されるように配置され、前記ダクト接続は、前記ダクト接続部の外面から突出するように設けられたフード側係止片を備え、前記室内ダクトは、前記室内ダクトの内面から突出するように設けられたダクト側係止片を備えており、前記ダクト側係止片は、前記室内ダクトの延在方向に沿って複数備えられ、前記フード側係止片は、前記フード側係止片の前記室内ダクト側の面が押圧されることで前記ダクト接続部の内方に向かって弾性変形し、複数の前記ダクト側係止片のうちいずれか一つの前記ダクト側係止片と係合し、前記換気フードを前記室内ダクトに固定することを特徴とする換気フードセットという構成を有する。
【００１２】
この構成によって、換気フードと室内ダクトとの接続を行う際に、換気フードのダクト接続部が室内ダクトに向かって挿入されることで、換気フードのダクト接続部に設けられたフード側係止片が、室内ダクトの延在方向に沿って複数備えられたダクト側係止片のいずれかと係合する。したがって、外壁を傷つけることなく、換気フードを外壁の室内ダクトに容易に固定することができるという効果を奏する。さらに、換気フードと室内ダクトとの接続を行う際に、換気フードのダクト接続部が室内ダクトに向かって挿入されることで、換気フードのダクト接続部に設けられたフード側係止片が、室内ダクトの延在方向に沿って複数備えられたダクト側係止片のいずれかと係合する。したがって、ダクト接続部を室内ダクトに挿入することで、ダクト接続部を挿入方向における複数の任意の位置で室内ダクトに係合することができ、換気フードを複数の任意の位置で室内ダクトに容易に固定することができるという効果を備えている。この構成によって、換気フードセットは、外壁の外面と室内ダクトの外壁側端部とが寸法公差を有している場合であっても、換気フードと外壁との距離を適正に設定することができるという効果を備えている。
【００１３】
また、前記ダクト接続部と前記室内ダクトとは円筒状であり、前記ダクト接続部を円周方向へ回動させることで、前記ダクト側係止片と前記フード側係止片との係合を解除することを特徴とする換気フードセットという構成にしてもよい。
【００１４】
これにより、ダクト接続部を円周方向へ摺動させ、回動させることで、フード側係止片を円周方向に移動させることができ、容易にダクト側係止片とフード側係止片との係合を解除することができるという効果を奏する。
【００１５】
また、前記ダクト側係止片は、前記換気フード側の面に前記フード側係止片を案内する傾斜部と、室内側の面に前記フード側係止片の前記換気フード側への移動を規制する立壁で形成される抜け規制部と、を備えていることを特徴とする換気フードセットという構成にしてもよい。
【００１６】
これにより、換気フードのダクト接続部を室内ダクトに向かって挿入する際に、フード側係止片の室内ダクト側の面がダクト側係止片の傾斜部と当接し、傾斜部に案内され、押圧される。したがって、フード側係止片の室内ダクト側の面に負荷を軽減させて、フード側係止片をダクト接続部の内方に向かって弾性変形させることができる。さらに、フード側係止片がダクト側係止片の室内側の面まで達すると、フード側係止片の弾性変形が軽減し、ダクト側係止片の室内側に立壁で形成された抜け規制部や室内ダクトの内面に当接して確実に係合させることができるという効果を奏する。
【００１７】
また、前記ダクト側係止片は、前記フード側係止片を円周方向の一方向への回動を規制する回動規制部を備えていることを特徴とする換気フードセットという構成にしてもよい。
【００１８】
これにより、ダクト接続部を円周方向の右回り及び左回りの両方に回動させることを規制し、ダクト接続部を円周方向の一方向へ回動させた場合にダクト側係止片とフード側係止片との係合を解除することができる。したがって、フード側係止片とダクト側係止片との係合の信頼性を向上させることができるという効果を奏する。
【００１９】
また、前記フード側係止片は、前記ダクト接続部の外面の同一円周上において等間隔に複数備えられており、複数の前記フード側係止片に係合する前記ダクト側係止片が、前記室内ダクトの内面の同一円周上において等間隔に複数備えられていることを特徴とする換気フードセットという構成にしてもよい。
【００２０】
これにより、フード側係止片とダクト側係止片とが複数の位置で固定されるため、換気フードを室内ダクトに確実に固定することができるという効果を奏する。
【００２１】
また、筒状のダクト接続部と前記ダクト接続部の一の開口端を覆うカバーとを備えた換気フードであって、前記換気フードの前記ダクト接続部の他の開口端は、室内と室外とを連通する外壁に設けられた室内ダクト内に収納されるように配置され、前記ダクト接続部の外面に突出するように設けられたフード側係止片は、前記室内ダクトの内面に突出するように設けられたダクト側係止片と係合し、前記ダクト側係止片は、前記室内ダクトの延在方向に沿って複数備えられ、前記フード側係止片は、前記フード側係止片の前記室内ダクト側の面が押圧されることで前記ダクト接続部の内方に向かって弾性変形し、複数の前記ダクト側係止片のうちいずれか一つの前記ダクト側係止片と係合することを特徴とする換気フードという構成にしてもよい。
【００２２】
これにより、換気フードと室内ダクトとの接続を行う際に、換気フードのダクト接続部が室内ダクトに向かって挿入されることで、換気フードのダクト接続部に設けられたフード側係止片が、室内ダクトの延在方向に沿って複数備えられたダクト側係止片のいずれかと係合する。したがって、ダクト接続部を室内ダクトに挿入する際に、ダクト接続部を挿入方向における複数の任意の位置で室内ダクトに係合することができ、換気フードを複数の任意の位置で室内ダクトに容易に固定することができるという効果を備えている。この構成によって、換気フードは、外壁の外面と室内ダクトの外壁側端部とが寸法公差を有している場合であっても、換気フードと外壁との距離を適正に設定することができるという効果を奏する。
【００２３】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。さらに、各図面において、本発明に直接には関係しない各部の詳細については説明を省略している。
【００２４】
また、実施形態として記載されている、又は図面に示されている構成部品の寸法、材質、形状、その相対的配置等は、本発明の範囲をこれに限定する趣旨でなく、単なる説明例にすぎない。さらに、下記複数の実施の形態は、矛盾しない範囲で組み合わせて実施することができる。
【００２５】
（実施の形態１）
以下、図１、図２（ａ）、（ｂ）、（ｃ）、図３を参照して、本発明の実施の形態１に係る換気フードセットについて説明する。なお図１は、本発明の実施の形態１に係る換気フードセットの構成を示す断面図、図２（ａ）は、フード側係止片１０を図１の室内ダクト側から見た正面図であり、図２（ｂ）は、室内ダクト７を図１の換気フード側から見た正面図であり、図２（ｃ）は、ダクト接続部１が室内ダクト７に挿入された状態において、フード側係止片１０とダクト側係止片１２とが係合している状態を投影し、室内ダクト７を室内側からみた投影正面図である。図３は、ダクト接続部１が室内ダクト７に挿入され、フード側係止片１０とダクト側係止片１２とが係合している状態を示す断面図である。
【００２６】
図３に示すように、換気フードセット８は、換気フード４と室内ダクト７とを備えて構成されている。また、換気フード４は、筒状のダクト接続部１と、筒状のダクト接続部１の一端を塞ぐように連結されたカバー３とを備えている。
【００２７】
図１に示すように、ダクト接続部１は、中空筒形状を有し、ダクト接続部１の径は、
室内ダクト７の径よりも小さく、ダクト接続部１を室内ダクト７に挿入することが可能な大きさである。ダクト接続部１は、カバー３側の一の開口端２において外周方向に広がるフランジ１４を有し、他の開口端５は、室内６と連通する室内ダクト７に一部が重なるように配置される。また、ダクト接続部１は、外面９より外方に突出するフード側係止片１０を備えている。
【００２８】
図１に示すように、フード側係止片１０は、ダクト接続部１の外面９から外周方向に突出しており、ダクト接続部１を室内ダクト７に挿入する際に、ダクト側係止片１２と係合することでダクト接続部１の抜け方向Ｊへの移動を規制する。また、フード側係止片１０は、ダクト側係止片１２と同数になるように設けられており、ダクト接続部１を室内ダクト７に挿入する際に、ダクト側係止片１２と係合するようにダクト接続部１の外面９に配置されている。
【００２９】
図１に示すように、フード側係止片１０は、換気フード４を室内ダクト７に挿入する方向、すなわち挿入方向Ｒにおける先端側にダクト接続部１の外面９と固定される筒固定部１５を備えている。また、挿入方向Ｒにおいて、筒固定部１５よりも後端側の位置にダクト接続部１の外面９から外周側に立ち上がる立上部１６とを備えている。立上部１６は、筒固定部１５よりも外周側に立設するように設けられている。なお、フード側係止片１０とダクト側係止片１２との係合の詳細については後述する。
【００３０】
フード側係止片１０の立上部１６は、図１のダクト接続部１が室内ダクト７に挿入されていない状態では、図３のダクト接続部１が室内ダクト７に挿入された状態と比べ、ダクト接続部１の外面９より大きく突出している。具体的な寸法は、ダクト接続部１が室内ダクト７に挿入されていない状態では、ダクト接続部１の外面９より９ｍｍ突出しているが、図３のダクト接続部１が室内ダクト７に挿入された状態では、ダクト接続部１の外面９より６ｍｍ突出している。すなわち、ダクト接続部１が室内ダクト７に挿入されることで、立上部１６は、３ｍｍ分のダクト接続部１の外面９側へ弾性変形し、収縮している。図１に示すように、カバー３は、ダクト接続部１のフランジ１４と例えばリベット止めされることでダクト接続部１と一体化されている。カバー３は、断面視において中空矩形であり、一端がダクト接続部１の内部空間と連通し、他端は外部に開放されている。ここで外部とは、屋外を意味する。図１では、カバー３は、他端が下方に向けて開放されており、雨の侵入を防止できる構造となっている。つまり、カバー３は、室内ダクト７内への雨風の流入を防止する覆いとして機能する。
【００３１】
以上が換気フード４の構成である。図３に示すように、室内ダクト７は、例えば家屋等の外壁１７を貫通した孔１８に、外壁１７を挟んで内部と外部とを連通するように設けられる。室内ダクト７は、中空筒形状を有しており、外壁１７への設置時には、外面１９が孔１８の内面と当接し、孔１８内に固定され、内面１１が送風のための風路空間を構成する。また室内ダクト７は、設置時には、例えば室内ダクト７の端部の開口である外壁側端部２０が、外壁１７の外面２１と同一平面上に位置される。室内ダクト７は、外壁側端部２０近傍において、ダクト側係止片１２を備えている。
【００３２】
図３に示すように、ダクト側係止片１２は、室内ダクト７の内面１１から室内ダクト７の中心軸方向に向けて突出している。ダクト側係止片１２の突出寸法は、例えば、室内ダクト７の肉厚分の寸法と同一であってもよい。ここで、肉厚とは、室内ダクト７の外面１９と内面１１との距離である。また、図３に示すように、複数のダクト側係止片１２は、室内ダクト７の延在方向に沿って一定の間隔をおいて複数備えられている。さらに、図３に示すように、複数のダクト側係止片１２は、室内ダクト７を抜け方向Ｊから見た正面図において、一列になるように配置されている。
【００３３】
また、図２（ａ）、図２（ｂ）が示すように、ダクト側係止片１２は、フード側係止片１０よりも外周方向において、寸法が大きく、幅広となるように形成されている。この構成によって、ダクト接続部１を室内ダクト７に挿入する際にダクト側係止片１２とフード側係止片１０との位置が、寸法公差等でズレが生じた場合においても確実に、ダクト側係止片１２とフード側係止片１０とを係合して固定させることができる。
【００３４】
また、図２（ａ）、図２（ｂ）が示すよう、フード側係止片１０及びダクト側係止片１２は、送風方向に垂直な面における断面において、それぞれ等間隔となるように配置されている。以上が室内ダクト７の構成である。
【００３５】
続いて、換気フード４が室内ダクト７に挿入され、フード側係止片１０とダクト側係止片１２とが係合される手順について説明する。
【００３６】
上記構成において、最初に換気フード４のダクト接続部１の中心軸と室内ダクト７の中心軸とを一致させる。このとき、図２（ｃ）に示すように、ダクト接続部１に設けられたフード側係止片１０と室内ダクト７に設けられたダクト側係止片１２とが、当接するように配置される。図２（ｃ）の状態において、ダクト接続部１を挿入方向Ｒの方向に挿入し、図３に示す状態とする。このとき、フード側係止片１０の立上部１６の外周方向の先端面が、室内ダクト７の内面１１またはダクト側係止片１２と当接し、さらに、室内ダクト７の内面１１またはダクト側係止片１２によって、ダクト接続部１の外面９側に向かって押圧される。立上部１６は、ダクト接続部１の外面９側へ弾性変形し、収縮する。
【００３７】
また、図３に示すように、フード側係止片１０の立上部１６が、ダクト側係止片１２の内面１３を経た後、ダクト側係止片１２の室内６側の端部である抜け規制部２２と隣接する他のダクト側係止片１２との間に配置される。この構成によって、フード側係止片１０とダクト側係止片１２とが係合し、換気フード４が、抜け方向Ｊ側へ移動することが規制されて、換気フード４は室内ダクト７に固定されることになる。この構成によって、ネジを用いることなく換気フード４を外壁１７に固定できる。したがって、このような固定方法によって、外壁１７にネジ等の傷つけることなく、換気フード４を外壁１７に固定できるという効果を奏する。また、ネジ及びネジ螺合を行う冶具が不要となり、作業コスト及び作業効率を改善することができる。
【００３８】
さらに、図３に示すように、ダクト側係止片１２が、室内ダクト７の延在方向に沿って一定の間隔をおいて複数備えられているので、換気フード４のダクト接続部１の挿入方向Ｒへ挿入することでフード側係止片１０の立上部１６が弾性変形を繰り返し、複数の任意の位置でダクト側係止片１２の抜け規制部２２に係合させることができる。すなわち、換気フード４を複数の任意の位置で室内ダクト７に容易に固定することができるという効果を備えている。したがって、図３に示すように、換気フード４のカバー３及びフランジ１４等と外壁１７の外面２１との距離を適宜調整することができ、換気フード４及び外壁１７の外面２１等の部材の寸法公差を吸収することができる。
【００３９】
また、他の実施形態として、フード側係止片１０が、バネ鋼等の弾性力が高い材質を利用することで、フード側係止片１０にさらに強い押圧力が加わり、フード側係止片１０とダクト側係止片１２との強い保持力を有することができる。また、バネ鋼等の弾性力が高い材質をフード側係止片１０に用いることで、立上部１６が室内ダクト７の内面１１に強い反発力を持って当接するので衝突音が発生する。したがって、フード側係止片１０とダクト側係止片１２の係合状態が聴覚でも判断できることになり固定作業性が向上できる。
【００４０】
上記のフード側係止片１０の立上部１６が、室内ダクト７の内面１１と当接し、ダクト接続部１の外面９側に向かって押圧され、フード側係止片１０とダクト側係止片１２とが係合する構造である。したがって、室内ダクト７の内径の形状が多少の寸法公差を有している場合であっても、ダクト接続部１を室内ダクト７の内に収納し、配置することができる大きさであれば、立上部１６が弾性変形し、立上部１６とダクト側係止片１２とを係合することができる。すなわち、室内ダクト７の内径の寸法公差を、フード側係止片１０の立上部１６が弾性変形することで吸収することができる。
【００４１】
また、フード側係止片１０とダクト側係止片１２は、それぞれ１個ずつ設けられている構成であっても機能するが、中心軸に対して周方向に複数設けることで、ダクト接続部１に抜け方向Ｊの力が加わったとしても、複数のフード側係止片１０とダクト側係止片１２との係合力により、より強固にダクト接続部１を室内ダクト７に固定できる。
【００４２】
なお、フード側係止片１０はダクト接続部１と一体として構成してもよい。また、フード側係止片１０は、必ずしも筒固定部１５と立上部１６とに分割される必要は無く、ダクト接続部１の外面９から外周方向に突出してダクト側係止片と係合するものであればよい。
【００４３】
（実施の形態２）
実施の形態２に係る換気フードセットについて、図４（ａ）、（ｂ）、（ｃ）および図５（ａ）、（ｂ）を参照しながら説明する。なお、実施の形態２では、上記実施の形態と異なる点について説明を行う。ここで図４（ａ）は、ダクト接続部１Ａのフード側係止片１０Ａを室内ダクト側から見た正面図であり、図４（ｂ）は、室内ダクト７Ａを換気フード側から見た正面図であり、図４（ｃ）は、ダクト接続部１Ａが室内ダクト７Ａに挿入された状態において、フード側係止片１０Ａとダクト側係止片１２Ａとが係合している状態を投影し、室内ダクト７Ａを室内側からみた投影正面図である。
【００４４】
図５（ａ）は、ダクト接続部１Ａが室内ダクト７Ａに挿入された状態において、フード側係止片１０Ａとダクト側係止片１２Ａとが係合している状態を投影している。また、図５（ａ）の矢印は、フード側係止片１０Ａとダクト側係止片１２Ａとの係合を解除する為のダクト接続部１Ａの回動方向を示している。図５（ｂ）は、ダクト接続部１Ａが室内ダクト７Ａに挿入された状態において、フード側係止片１０Ａとダクト側係止片１２Ａとが係合していない状態の室内側から見た投影正面図である。
【００４５】
本実施の形態では、円筒状のダクト接続部１Ａと室内ダクト７Ａとを備えている。よってフード側係止片１０Ａは、ダクト接続部１Ａの外面９Ａから円周方向に突出し、ダクト側係止片１２Ａは室内ダクト７Ａの内面１１Ａから室内ダクト７Ａの中心軸方向に向けて突出して備えられる。図４（ａ）と図４（ｂ）に示すように、３つのフード側係止片１０Ａは、ダクト接続部１Ａの外面９Ａから周方向において等間隔となるように配置されている。また、３つのダクト側係止片１２Ａは、室内ダクト７Ａの内面１１Ａから周方向において等間隔となるように配置されている。さらにダクト接続部１Ａの外面９Ａの外周の径が、室内ダクト７Ａにおける最内周（ダクト側係止片１２Ａの内周）の径よりも小さいため、ダクト接続部１Ａは室内ダクト７Ａ内を回動可能な構造となっている。
【００４６】
上記構成において、図５（ａ）と図５（ｂ）に示すように、フード側係止片１０Ａとダクト側係止片１２Ａとが当接する係合状態から、ダクト接続部１Ａを円周方向である時計回り、あるいは反時計回り（図５（ａ）では時計回り）に摺動させて回動させることができる構成である。ダクト接続部１Ａを円周方向に回動させることで、フード側係止片１０Ａを円周方向に移動させることができ、フード側係止片１０Ａとダクト側係止片１２Ａとが円周上において当接しない位置となり、フード側係止片１０Ａとダクト側係止片１２Ａの係合を解除させることができる。
【００４７】
また、フード側係止片１０Ａとダクト側係止片１２Ａとの係合が解除されて、当接しない位置に配置された状態であっても、フード側係止片１０Ａの立上部１６Ａは室内ダクト７Ａの内面１１Ａとダクト接続部１Ａの外面９Ａとによって押圧されて、ダクト側接続部１Ａの安易な動きを抑制する。すなわち弾性変形が継続状態にあるのでダクト接続部１Ａの室内ダクト７Ａからの脱落落下は簡単には至らない。
【００４８】
図６は、換気フードセットの構成を示す斜視図である。図６に示すようにダクト接続部１Ａがカバー３Ａと固定されているので、換気フード４Ａを回動させてフード側係止片１０Ａとダクト側係止片１２Ａとの係合を解除することができる。フード側係止片１０Ａとダクト側係止片１２Ａとの係合状態は、換気フード４Ａの取り付け姿勢によって、容易に目視で確認することができる。フード側係止片１０Ａとダクト側係止片１２Ａとの係合状態を目視で確認し、換気フード４Ａすなわちダクト接続部１Ａを抜け方向Ｊ側へ摺動させて室内ダクト７Ａから引抜くことで確実に取り外すことができることになるので施工性が向上できるという効果を奏する。
【００４９】
（実施の形態３）
続いて、実施の形態３に係る換気フードセットについて、図７を参照しながら説明する。なお、実施の形態３では、上記実施の形態と異なる点について説明を行う。ここで図７は、実施の形態３に係る換気フードセットの構成を示す断面図である。
【００５０】
本実施の形態では、ダクト側係止片１２Ｂは、換気フード４Ｂ側の面にフード側係止片１０Ｂを案内する傾斜部２３と、室内６側の面にフード側係止片１０Ｂが抜け方向Ｊ側へ移動するのを規制する立壁２４の抜け規制部２２Ｂとを備えている。傾斜部２３は、ダクト側係止片１２Ｂの換気フード４Ｂ側の側面が、室内ダクト７Ｂの内面１１Ｂから室内６側に向かって傾斜するように突出して形成されている。さらに、ダクト側係止片１２Ｂの室内６側の端部である抜け規制部２２Ｂは室内ダクト７Ｂの送風方向に対して垂直な立壁２４で形成される。
【００５１】
上記構成において、換気フード４Ｂのダクト接続部１Ｂを室内ダクト７Ｂに向かって挿入する際に、フード側係止片１０Ｂの立上部１６Ｂの室内６側の面が、ダクト側係止片１２Ｂの傾斜部２３と当接し、傾斜部２３に案内される。フード側係止片１０Ｂは、室内ダクト７Ｂの内面１１Ｂまたはダクト側係止片１２Ｂによって、ダクト接続部１Ｂの外面９Ｂ側に向かって押圧され、フード側係止片１０Ｂの立上部１６Ｂは、ダクト接続部１Ｂの外面９Ｂ側へ弾性変形し、収縮する。このとき、フード側係止片１０Ｂの立上部１６Ｂは、傾斜部２３によって、徐々に弾性変形するように誘導できる。すなわちダクト接続部１Ｂの室内ダクト７Ｂへの挿入開始時の負荷を軽減させることができる。
【００５２】
さらに、フード側係止片１０Ｂの立上部１６Ｂが、ダクト側係止片１２Ｂの内面を経た後、ダクト側係止片１２Ｂの室内６側の端部である抜け規制部２２Ｂと隣接する他のダクト側係止片１２との間に配置される。この構成によって、フード側係止片１０とダクト側係止片１２とが係合し、換気フード４が、抜け方向Ｊ側へ移動することが規制されて、換気フード４は室内ダクト７に固定されることになる。
【００５３】
（実施の形態４）
続いて、実施の形態４に係る換気フードセットについて、図８を参照しながら説明する。なお、実施の形態４では、上記実施の形態と異なる点について説明を行う。ここで図８は、実施の形態４に係る換気フードセットの構成を示す斜視図である。
【００５４】
本実施の形態では、ダクト側係止片１２Ｃは、抜け規制部２２Ｃと回動規制部２５とを備えている。
【００５５】
抜け規制部２２Ｃは、実施の形態２におけるダクト側係止片１２と同様の構成であり、すなわちフード側係止片１０Ｃの抜け方向Ｊへの移動を規制する。
【００５６】
図８に示すように、複数のダクト側係止片１２Ｃは、室内ダクト７Ｃの延在方向に対して所定の間隔を空けて、一列になるように内面１１Ｃから突出して設けられた構成である。複数のダクト側係止片１２Ｃの円周方向における端部は、回動規制部２５によって連結されている。回動規制部２５は、複数のダクト側係止片１２Ｃの円周方向における端部を連結しており、室内ダクト７Ｃの延在方向に沿って延在している形状である。この構成によって、フード側係止片１０Ｃとダクト側係止片１２Ｃとが係合している状態において、回動規制部２５は、ダクト接続部１ＣのＫ方向の回動のみ可能とし、Ｋ方向の反対方向への回動を規制している。
【００５７】
上記構成において、フード側係止片１０Ｃとダクト側係止片１２Ｃとが円周上における重なる位置である係合状態から、フード側係止片１０Ｃとダクト側係止片１２Ｃとの係合を解除させる際に、ダクト接続部１Ｃを円周方向の一方向へ回動させることで、係合を解除できる。したがって、フード側係止片１０Ｃとダクト側係止片１２Ｃとの係合を解除させる際に、ダクト接続部１Ｃを円周方向の両方向に回動する構造から一方向へ回動させる構造とすることで、意図しないダクト接続部１Ｃの回動による係合解除を防止できるという効果を奏する。
したがって、フード側係止片１０Ｃとダクト側係止片１２Ｃとの係合の信頼性を向上させることができる。
【産業上の利用可能性】
【００５８】
本発明に係る換気フードセットは、ネジや、工具を用いることなく、換気フードセットを短時間で室内ダクトに固定できるという効果を有している。したがって、建物の外壁等に設置される換気フードセット等として有用である。
【符号の説明】
【００５９】
１    ダクト接続部
１Ａ    ダクト接続部
１Ｂ    ダクト接続部
１Ｃ    ダクト接続部
２    一の開口端
３    カバー
３Ａ    カバー
４    換気フード
４Ａ    換気フード
４Ｂ    換気フード
５    他の開口端
６    室内
７    室内ダクト
７Ａ    室内ダクト
７Ｂ    室内ダクト
７Ｃ    室内ダクト
８    換気フードセット
９    外面
９Ａ    外面
９Ｂ    外面
１０    フード側係止片
１０Ａ    フード側係止片
１０Ｂ    フード側係止片
１０Ｃ    フード側係止片
１１    内面
１１Ａ    内面
１１Ｂ    内面
１１Ｃ    内面
１２    ダクト側係止片
１２Ａ    ダクト側係止片
１２Ｂ    ダクト側係止片
１２Ｃ    ダクト側係止片
１３    内面
１４    フランジ
１５    筒固定部
１６    立上部
１６Ａ    立上部
１６Ｂ    立上部
１７    外壁
１８    孔
１９    外面
２０    外壁側端部
２１    外面
２２    抜け規制部
２２Ｂ    抜け規制部
２２Ｃ    抜け規制部
２３    傾斜部
２４    立壁
２５    回動規制部
Ｒ    挿入方向
Ｊ    抜け方向
Ｋ    回動方向
【図１】
2019163902.tif 000003
【図２】
2019163902.tif 000004
【図３】
2019163902.tif 000005
【図４】
2019163902.tif 000006
【図５】
2019163902.tif 000007
【図６】
2019163902.tif 000008
【図７】
2019163902.tif 000009
【図８】
2019163902.tif 000010
【図９】
2019163902.tif 000011